(57)【要約】【課題】簡単にユニットの取り出しをおこなうこと。【解決手段】情報処理装置１００は、装置本体部に着脱可能であり、当該装置本体部から電源の供給を受けるユニットに対して電源の制御をおこなう。情報処理装置１００は、操作部１０１と、排出部１０３と、電源制御部１０４とを備える。操作部１０１は、装置本体部に設けられ、ユニットが取り付けられている際に第１位置に停止し、当該第１位置から操作されることにより当該第１位置とは異なる第２位置に停止する。排出部１０３は、操作部１０１が第２位置から操作されることにより、ユニットを押圧して装置本体部から排出させる。電源制御部１０４は、操作部１０１の第１位置から第２位置への移動に連動してユニットに対する装置本体部からの電源の供給を制御する。【選択図】図１
2009262807.tif 000002
【特許請求の範囲】
【請求項１】
装置本体部に着脱可能であり、当該装置本体部から電源の供給を受けるユニットに対して電源の制御をおこなう情報処理装置であって、
前記装置本体部に設けられ、前記ユニットが取り付けられている際に第１位置に停止し、当該第１位置から操作されることにより当該第１位置とは異なる第２位置に停止する操作部と、
前記操作部が第２位置から操作されることにより、前記ユニットを押圧して前記装置本体部から排出させる排出部と、
前記操作部の第１位置から第２位置への移動に連動して前記ユニットに対する前記装置本体部からの電源の供給を制御する電源制御部と、
を備えることを特徴とする情報処理装置。
【請求項２】
前記操作部は、直線上に往復動するものであり、前記装置本体部の筐体表面に対して突出した第１位置に停止し、当該第１位置から押圧操作されることにより、当該第１位置よりも更に突出した第２位置に停止するものであることを特徴とする請求項１に記載の情報処理装置。
【請求項３】
前記電源制御部は、前記操作部が第１位置にて押圧操作されたときに、前記ユニットに対する電源の供給を停止する電源停止処理を実行することを特徴とする請求項２に記載の情報処理装置。
【請求項４】
前記電源制御部は、前記電源停止処理を実行中に、前記操作部が第２位置から押圧操作されたときに、前記電源停止処理よりも短い時間で電源の供給を停止する緊急停止処理を実行することを特徴とする請求項３に記載の情報処理装置。
【請求項５】
前記操作部が第２位置から操作されたことにより、前記排出部に対して前記ユニットの排出に要する排出力を伝達する際に、当該排出力の伝達を遅延させる伝達遅延部をさらに備え、
前記電源制御部は、前記伝達遅延部によって前記排出力の伝達が遅延されることにより、前記操作部が第２位置にて押圧操作されてから、前記排出部による前記ユニットの装置本体部に対する排出が開始されるまでの間に、前記緊急停止処理を完了させることを特徴とする請求項４に記載の情報処理装置。
【請求項６】
前記伝達遅延部は、前記操作部との接合箇所に所定の間隙を設けることにより、前記排出力の伝達を遅延させることを特徴とする請求項５に記載の情報処理装置。
【請求項７】
請求項１〜６のいずれか一つに記載の情報処理装置を備えたことを特徴とするナビゲーション装置。
【請求項８】
装置本体部に着脱可能であり、当該装置本体部から電源の供給を受けるユニットに対して電源の制御をおこなう情報処理装置の情報処理方法であって、
前記装置本体部に設けられ、前記ユニットが取り付けられている際に第１位置に停止し、当該第１位置から操作されることにより当該第１位置とは異なる第２位置に停止する操作部の位置を検知する検知工程と、
前記操作部が第２位置から操作されたことを検知したことにより、前記ユニットを押圧して前記装置本体部から排出させる排出工程と、
前記操作部の第１位置から第２位置への移動に連動して前記ユニットに対する前記装置本体部からの電源の供給を制御する電源制御工程と、
を含むことを特徴とする情報処理方法。
【請求項９】
請求項８に記載の情報処理方法をコンピュータに実行させることを特徴とする情報処理プログラム。
【請求項１０】
請求項９に記載の情報処理プログラムを記録したことを特徴とするコンピュータに読み取り可能な記録媒体。
【発明の詳細な説明】
【技術分野】
【０００１】
この発明は、装置本体部に着脱可能なユニットに対して電源の制御をおこなう情報処理装置、ナビゲーション装置、情報処理方法、情報処理プログラム、および記録媒体に関する。ただし、この発明は、上述の情報処理装置、ナビゲーション装置、情報処理方法、情報処理プログラム、および記録媒体に限られない。
【背景技術】
【０００２】
従来、ＰＣ（Ｐｅｒｓｏｎａｌ  Ｃｏｍｐｕｔｅｒ）、テレビ、ナビゲーション装置などの情報処理装置は、たとえば、メモリなどを備えたユニットを着脱可能にしたものが知られている。たとえば、ユニットは、ＰＣなどに着脱される、ＰＣカード、ハードディスクレコーダ、ＵＳＢ（Ｕｎｉｖｅｒｓａｌ  Ｓｅｒｉａｌ  Ｂｕｓ）メモリ、電源コネクタなどのほか、ナビゲーション装置に着脱される携帯型のブレインユニット（登録商標）などが挙げられる。
【０００３】
たとえば、ナビゲーション装置では、装置本体部からブレインユニット（以下、ナビゲーションユニットという）を取り外し、屋内機器や携帯機器に装着して接続することにより、音楽ファイルの保存や旅行プランの作成などを屋内機器などにておこない、再度装置本体部にナビゲーションユニットを装着することにより、記録した内容を車内で利用することを可能にしたものが提案されている（たとえば、下記特許文献１参照）。
【０００４】
このような情報処理装置において、ユニットに電源が導通している状態で当該ユニットを装置本体部から取り出すと、データの破損が生じるおそれがある。そのため、ユニットの取り出し時には、たとえば、利用者が所定の取り出し操作をおこなった際に、情報処理装置ではデータの保存など所定の処理をおこなった後、ユニットの排出がおこなわれるようになっている。
【０００５】
ここで、図１８および図１９を用いて、ナビゲーション装置を例に挙げて従来のナビゲーションユニットの排出について説明する。図１８および図１９は、従来のナビゲーション装置を示した説明図である。図１８において、ナビゲーション装置１８００は、車両などの移動体に搭載されており、ナビゲーション装置本体１８１０と、ナビゲーションユニット１８２０からなる。
【０００６】
ナビゲーション装置本体１８１０は、スライドカバー１８１１と、後述するイジェクトレバーとを備えている。一方、ナビゲーションユニット１８２０は、ＰＯＷＥＲランプ１８２１と、ＵＳＢ端子１８２２とを備えている。スライドカバー１８１１は、ナビゲーション装置本体への装着時にナビゲーションユニット１８２０に当接するスライド式の開閉扉であり、開閉状態を出力するスイッチを備えている。なお、図１８においては、スライドカバー１８１１は、閉状態を示している。この状態において、利用者がスライドカバー１８１１を図中右側へスライドさせると、図１９に示す状態となる。
【０００７】
図１９において、スライドカバー１８１１は、開状態となっており、ナビゲーション装置本体１８１０に設けられているイジェクトレバー１９００が露出している。なお、図１９は、ナビゲーションユニット１８２０が取り出される前の状態を示している。この状態において、利用者がイジェクトレバー１９００を押し込むと、イジェクトレバー１９００が手前側に突出する。さらに、利用者が続けて突出したイジェクトレバー１９００を押し込むと、ナビゲーションユニット１８２０が排出されるようになっている。
【０００８】
このような排出動作において、ナビゲーションユニット１８２０に対する電源の制御、および利用者による操作手順について説明する。ナビゲーション装置１８００は、利用者からの操作によりスライドカバー１８１１が右側にスライドすると、ナビゲーションユニット１８２０への電源の停止処理を開始する。この電源の停止処理がおこなわれている状態では、ＰＯＷＥＲランプ１８２１が点滅した状態となる。そして、電源の停止処理が終了すると、ＰＯＷＥＲランプ１８２１が消灯する。このあと、利用者がイジェクトレバー１９００を押し込むことにより、ナビゲーションユニット１８２０が排出されるようになっている。
【０００９】
なお、ＰＯＷＥＲランプ１８２１が点滅している最中に、すなわち、電源の停止処理がおこなわれている最中に、利用者がイジェクトレバー１９００を押し込む操作をおこなった場合には、必要最低限のデータを記録させる緊急停止処理が実行された後に、ナビゲーションユニット１８２０の排出がおこなわれるようになっている。
る。
【００１０】
【特許文献１】特開２００７−２９２５６９号公報
【発明の開示】
【発明が解決しようとする課題】
【００１１】
しかしながら、上述した特許文献１に記載の技術は、スライドカバー１８１１をスライドさせてから、イジェクトレバー１９００を押し込む構成であるため、たとえば、不慣れな人にとっては片手で簡単にナビゲーションユニット１８２０の取り出しをおこなうことができず、ナビゲーションユニット１８２０を取り出す際の操作が煩わしいといった問題が一例として挙げられる。
【課題を解決するための手段】
【００１２】
上述した課題を解決し、目的を達成するため、請求項１の発明にかかる情報処理装置は、装置本体部に着脱可能であり、当該装置本体部から電源の供給を受けるユニットに対して電源の制御をおこなう情報処理装置であって、前記装置本体部に設けられ、前記ユニットが取り付けられている際に第１位置に停止し、当該第１位置から操作されることにより当該第１位置とは異なる第２位置に停止する操作部と、前記操作部が第２位置から操作されることにより、前記ユニットを押圧して前記装置本体部から排出させる排出部と、前記操作部の第１位置から第２位置への移動に連動して前記ユニットに対する前記装置本体部からの電源の供給を制御する電源制御部と、を備えることを特徴とする。
【００１３】
また、請求項７に記載のナビゲーション装置は、上記に記載の情報処理装置を備えたことを特徴とする。
【００１４】
また、請求項８の発明にかかる情報処理方法は、装置本体部に着脱可能であり、当該装置本体部から電源の供給を受けるユニットに対して電源の制御をおこなう情報処理装置の情報処理方法であって、前記装置本体部に設けられ、前記ユニットが取り付けられている際に第１位置に停止し、当該第１位置から操作されることにより当該第１位置とは異なる第２位置に停止する操作部の位置を検知する検知工程と、前記操作部が第２位置から操作されたことを検知したことにより、前記ユニットを押圧して前記装置本体部から排出させる排出工程と、前記操作部の第１位置から第２位置への移動に連動して前記ユニットに対する前記装置本体部からの電源の供給を制御する電源制御工程と、を含むことを特徴とする。
【００１５】
また、請求項９の発明にかかる情報処理プログラムは、請求項８に記載の情報処理方法をコンピュータに実行させることを特徴とする。
【００１６】
また、請求項１０の発明にかかる記録媒体は、請求項９に記載の情報処理プログラムをコンピュータに読み取り可能に記録したことを特徴とする。
【発明を実施するための最良の形態】
【００１７】
以下に添付図面を参照して、この発明にかかる情報処理装置、ナビゲーション装置、情報処理方法、情報処理プログラム、および記録媒体の好適な実施の形態を詳細に説明する。
【００１８】
（実施の形態）
（情報処理装置の機能的構成）
図１を用いて、この発明の実施の形態にかかる情報処理装置の機能的構成について説明する。なお、本実施の形態にかかる情報処理装置は、情報処理装置の装置本体部に着脱可能であり、当該装置本体部から電源の供給を受けるユニットに対して電源の制御をおこなうものである。
【００１９】
情報処理装置は、代表的には、車両に搭載されるナビゲーション装置によって実現されるが、ＰＣ、テレビ、携帯電話、ＦＡＸ、プリンタ、デジタルカメラ、ビデオカメラ、ＰＤＡ（Ｐｅｒｓｏｎａｌ  Ｄｉｇｉｔａｌ  Ａｓｓｉｓｔａｎｔ）などの電子機器によって実現することも可能である。また、ユニットは、情報処理装置からの電源の供給を受けるものであり、たとえば、ブレインユニットとしてのナビゲーションユニットや、ＰＣカード、各種メモリ、ハードディスクレコーダ、電源コネクタなどである。
【００２０】
図１は、本実施の形態にかかる情報処理装置の機能的構成の一例を示すブロック図である。図１において、情報処理装置１００は、操作部１０１と、検知部１０２と、排出部１０３と、電源制御部１０４と、伝達遅延部１０５とを備えて構成されている。
【００２１】
操作部１０１は、装置本体部に設けられ、ユニットが取り付けられている際に第１位置に停止し、当該第１位置から操作されることにより第１位置とは異なる第２位置に停止する。操作部１０１は、代表的には、装置本体部に対して突出または収納され、直線上に往復動するスライド式のものが挙げられる。また、操作部１０１は、スライド式のほかにも、たとえば、上下移動する形式のものや、回転移動する回転式のものなど、第１位置および第２位置にて停止可能なものであればいかなる形式のものを用いてもよい。
【００２２】
スライド式の操作部１０１は、具体的には、装置本体部の筐体表面に対して突出した第１位置に停止し、当該第１位置から押圧操作されることにより、当該第１位置よりも更に突出した第２位置に停止するものが挙げられる。そして、操作部１０１が第２位置から操作されると、後述する排出部１０３によりユニットが排出される。すなわち、このようなスライド式の操作部１０１は、利用者からの２回の押圧操作により、ユニットの取り出しがおこなわれることとなる。
【００２３】
検知部１０２は、操作部１０１の位置、すなわち、第１位置および第２位置を検知する。検知部１０２による検知方式は、センシングによるものであってもよいし、操作部１０１の位置に応じてスイッチの入切がおこなわれるものであってもよい。
【００２４】
排出部１０３は、操作部１０１が第２位置から操作されることにより、ユニットを押圧して装置本体部から排出させる。排出部１０３によるユニットの押圧は、具体的には、操作部１０１に加えられた利用者からの操作力や弾性部材の付勢力を利用する。
【００２５】
電源制御部１０４は、操作部１０１の第１位置から第２位置への移動に連動してユニットに対する装置本体部からの電源の供給を制御する。具体的には、電源制御部１０４は、操作部１０１が第１位置にて押圧操作されたときに、ユニットに対する電源の供給を停止する電源停止処理を実行する。
【００２６】
この電源停止処理は、電源の供給を停止する直前における情報処理装置１００の使用状態を記録しておくための処理をおこなってから電源を停止する処理である。なお、当該使用状態を記録しておくための処理とは、たとえば、最後に聴いていた楽曲などのＡＶソース情報を記録するための処理である。
【００２７】
また、電源制御部１０４は、電源停止処理を実行中に、操作部１０１が第２位置から押圧操作されたときに、電源停止処理よりも短い時間で電源の供給を停止する緊急停止処理を実行するようにしてもよい。緊急停止処理は、情報処理装置１００の破壊を防止するために必要な最低限のデータを記録するための処理をおこなってから電源を停止する処理である。
【００２８】
また、伝達遅延部１０５は、操作部１０１が第２位置から操作されたことにより、排出部１０３に対してユニットの排出に要する排出力を伝達する際に、当該排出力の伝達を遅延させる。この場合、電源制御部１０４は、伝達遅延部１０５によって排出力の伝達が遅延されることにより、操作部１０１が第２位置にて押圧操作されてから、排出部１０３によるユニットの装置本体部に対する排出が開始されるまでの間に、緊急停止処理を完了させる。
【００２９】
すなわち、本構成は、利用者によって操作部１０１が操作されたタイミングと、排出部１０３による排出を開始するタイミングとに時間差をもたせ、当該時間差内で緊急停止処理をおこなうようにしたものである。
【００３０】
伝達遅延部１０５は、代表的には、操作部１０１との接合箇所に所定の間隙を設けることにより、排出力の伝達を遅延させるものが挙げられる。なお、伝達遅延部１０５は、伝達を遅延させることが可能なものであれば接合箇所に間隙を設けるものに限られるものではなく、たとえば、所定の摩擦力を発生させることにより伝達を遅延させるものや、所定のバネ定数を有する付勢部材を用いて伝達を遅延させるものなどを適用することも可能である。
【００３１】
（情報処理装置の情報処理手順）
つぎに、図２を用いて、情報処理装置１００の情報処理手順について説明する。図２は、本実施の形態にかかる情報処理装置１００の情報処理手順の一例を示すフローチャートである。なお、本フローチャートでは、情報処理装置１００には、ユニットが装着されており、操作部１０１が第１位置に位置していることを前提とする。
【００３２】
図２のフローチャートにおいて、情報処理装置１００は、検知部１０２による検知結果に基づき、第１位置にて操作部１０１が操作されたか否かを判断する（ステップＳ２０１）。第１位置にて操作部１０１が操作されるまで待機状態にあり（ステップＳ２０１：Ｎｏのループ）、操作部１０１が操作されると（ステップＳ２０１：Ｙｅｓ）、操作部１０１が第２位置に移動するとともに（ステップＳ２０２）、電源制御部１０４の制御により、装置本体部からのユニットに対する電源の供給を制御する（ステップＳ２０３）。
【００３３】
このあと、検知部１０２による検知結果に基づき、第２位置にて操作部１０１が操作されたか否かを判断する（ステップＳ２０４）。第２位置にて操作部１０１が操作されるまで待機状態にあり（ステップＳ２０４：Ｎｏのループ）、操作部１０１が操作されると（ステップＳ２０４：Ｙｅｓ）、排出部１０３がユニットを排出し（ステップＳ２０５）、一連の処理を終了する。
【００３４】
以上説明したように、本実施の形態にかかる情報処理装置１００によれば、操作部１０１の位置のみに応じてユニットに対する装置本体部からの電源の供給を制御するようにしたので、利用者は片手で簡単にユニットの取り出しをおこなうことができる。
【００３５】
また、操作部１０１を直線上に往復動させ、第１位置から押圧操作されることにより、当該第１位置よりも更に突出した第２位置に停止させるようにすれば、利用者は操作部１０１を２回押すだけの極めて簡単な操作によってユニットを取り出すことができる。
【００３６】
また、操作部１０１が第１位置にて押圧操作されたときに、ユニットに対する電源の供給を停止する電源停止処理を実行するようにすれば、電気的な接続を切断するために、利用者が別途操作をおこなう必要がなく、取り外し時における最初の操作にて、電源停止処理を開始することが可能になる。したがって、電源停止処理に要する待ち時間を低減させることができる。
【００３７】
また、電源停止処理を実行中に、操作部１０１が第２位置から押圧操作されたときに、緊急停止処理を実行するようにすれば、利用者が急いで取り出し操作をおこなった場合や、電源停止処理中に誤って操作部１０１を操作した場合であっても、必要最低限のデータを記録しておくことが可能になる。
【００３８】
また、伝達遅延部１０５によって排出力の伝達が遅延されることにより、操作部１０１が第２位置にて押圧操作されてから、ユニットの排出が開始されるまでの間に、緊急停止処理を完了させるようにすれば、利用者が高速に操作部１０１を押し込んだとしても、所定の時間を得ることができ、緊急停止処理を確実に完了させることができる。
【実施例】
【００３９】
以下に、本発明の実施例について説明する。本実施例では、車両に搭載されるナビゲーション装置によって、本発明の情報処理装置を実施した場合の一例について説明する。なお、説明の順序としては、ナビゲーション装置の概要や電気的構成（図３〜図７）、およびナビゲーション装置の作用（図８〜図１１）を説明した後に、詳細な機構的構成やその挙動（図１２〜図１７）について説明する。
【００４０】
（ナビゲーション装置の概観）
まず、図３を用いて、本実施例にかかるナビゲーション装置の概観について説明する。図３は、本実施例にかかるナビゲーション装置の概観の一例を示す説明図である。図３において、ナビゲーション装置３００は、ナビゲーションユニット３１０と、装置本体部３２０とで構成されている。
【００４１】
ナビゲーションユニット３１０は、ＰＯＷＥＲランプ３１１と、ＵＳＢ端子３１２とを備えている。また、装置本体部３２０は、イジェクトレバー３２１を備えている。ＰＯＷＥＲランプ３１１は、電源がオンになっている状態で点灯し、後述する電源オフ処理がおこなわれている状態で点滅し、電源オフ処理が完了した際に消灯する。ＵＳＢ端子３１２は、図示しないＵＳＢケーブルを介して、他の外部機器と接続され、各種情報の入出力に関するインターフェース（Ｉ／Ｆ）として機能する。
【００４２】
イジェクトレバー３２１は、装置本体部３２０からナビゲーションユニット３１０を取り出す際に、利用者から操作される。このイジェクトレバー３２１は、ナビゲーションユニット３１０の装着状態や、利用者からの操作に応じて、手前側に突出する長さを可変にする。イジェクトレバー３２１の突出する長さについては、図４を用いて説明する。なお、イジェクトレバー３２１は、図１に示した実施の形態の操作部１０１に相当する。
【００４３】
（イジェクトレバーの位置状態）
図４は、イジェクトレバー３２１の位置状態を示した説明図である。なお、図４は、図３に示したナビゲーション装置３００をＺ方向から見た上面図である。図４において、（Ａ）は、ナビゲーションユニット３１０が装着された通常の使用状態を示しており、イジェクトレバー３２１が手前側に、例えば４ｍｍ程度突出した状態を示している。なお、この状態において、イジェクトレバー３２１は固定されている。以下の説明において、この位置を「Ａポジション」と称す。なお、Ａポジションは、上述した実施の形態の第１位置に相当する。
【００４４】
（Ｂ）は、利用者がイジェクトレバー３２１を押し込んだ状態を示しており、イジェクトレバー３２１が手前側に例えば２ｍｍ程度突出した状態を示している。この状態において、イジェクトレバー３２１は固定されておらず、利用者が操作力を弱めると、イジェクトレバー３２１が（Ｃ）の状態にシフトする。なお、この状態でも、ナビゲーションユニット３１０は装置本体部３２０に装着されたままである。以下の説明において、この位置を「Ｂポジション」と称す。
【００４５】
（Ｃ）は、イジェクトレバー３２１のＢポジションから利用者が手を離した状態を示しており、イジェクトレバー３２１が手前側に例えば１１ｍｍ程度突出した状態を示している。この状態において、イジェクトレバー３２１は固定されている。なお、この状態でも、ナビゲーションユニット３１０は装置本体部３２０に装着されたままである。以下の説明において、この位置を「Ｃポジション」と称す。なお、Ｃポジションは、上述した実施の形態の第２位置に相当する。
【００４６】
（Ｄ）は、イジェクトレバー３２１のＣポジションから利用者がイジェクトレバー３２１を押し込んだ状態を示しており、イジェクトレバー３２１が例えば全く突出していない状態を示している。なお、この状態で、ナビゲーションユニット３１０は装置本体部３２０から取り出されるようになっている。以下の説明において、この位置を「Ｄポジション」と称す。また、Ｄポジションにおいて、装置本体部３２０にナビゲーションユニット３１０を再度装着させると、ナビゲーションユニット３１０の挿入にともなって、イジェクトレバー３２１はＡポジションに位置するようになっている。
【００４７】
（ナビゲーション装置のハードウェア構成）
図５を用いて、本実施例にかかるナビゲーション装置３００のハードウェア構成について説明する。図５は、本実施例にかかるナビゲーション装置３００のハードウェア構成の一例を示すブロック図である。
【００４８】
図５において、ナビゲーション装置３００は、ナビゲーションユニット３１０と、装置本体部３２０とを備えている。ナビゲーションユニット３１０と装置本体部３２０とは、Ｉ／Ｆコネクタ部５３０を介して、着脱可能に接続されている。
【００４９】
ナビゲーションユニット３１０は、ＣＰＵ５０１と、ＲＯＭ５０２と、ＲＡＭ５０３と、磁気ディスクドライブ５０４と、磁気ディスク５０５と、光ディスクドライブ５０６と、光ディスク５０７と、外部Ｉ／Ｆ５０８と、ランプＩ／Ｆ５０９とを備えている。
【００５０】
ＣＰＵ５０１は、ナビゲーションユニット３１０の全体の制御を司る。ＲＯＭ５０２やフラッシュＲＯＭ等の書換え可能な不揮発性メモリは、ブートプログラムや、情報処理プログラムとしての電源制御プログラムなどの各種プログラムを記録している。また、ＲＡＭ５０３は、ＣＰＵ５０１のワークエリアとして使用される。
【００５１】
電源制御プログラムは、イジェクトレバー３２１のＡポジションから（Ｂポジションを経由した上で）Ｃポジションへの移動に連動して、装置本体部３２０からの電源の供給を制御するプログラムである。具体的には、電源制御プログラムは、イジェクトレバー３２１がＡポジションにて押圧操作されたときに、装置本体部３２０からの電源の供給を停止する電源オフ処理（電源停止処理に相当）を実行するプログラムである。
【００５２】
また、電源制御プログラムは、この電源オフ処理を実行中に、イジェクトレバー３２１がＣポジションから押圧操作されたときに、電源オフ処理よりも短い時間で電源の供給を停止する緊急オフ処理（緊急停止処理に相当）を実行するプログラムを含む。なお、電源制御プログラムは、ナビゲーションユニット３１０を装着する際に電源を制御するプログラムを含む。
【００５３】
電源オフ処理および緊急オフ処理をおこなうことにより、ナビゲーションユニット３１０のＲＯＭ５０２やフラッシュＲＯＭのほか、装置本体部３２０のＲＯＭ５５２などに、電源停止時におけるナビゲーション装置３００の使用状態などが記録される。
【００５４】
なお、電源オフ処理は、電源の供給を停止する直前のナビゲーションユニット３１０の使用状態を記録しておくための処理をおこなってから電源をオフする処理である。なお、当該使用状態を記録しておくための処理とは、たとえば、最後に聴いていた楽曲などのＡＶソース情報を記録しておき、次回、電源をオンにした際に、当該楽曲を再生させるための処理である。この電源オフ処理の所要時間は、記録させる内容によってその都度異なるが、たとえば、数秒程度である。
【００５５】
一方、緊急オフ処理は、ＲＯＭ５０２やフラッシュＲＯＭに対するデータの破壊を防止するために必要な最低限のデータを記録する処理をおこなってから、電源をオフする処理である。緊急オフ処理の所要時間は、たとえば３０ｍｓｅｃ程度である。なお、図１に示した電源制御部１０４は、ＣＰＵ５０１によって実現される。すなわち、ＣＰＵ５０１が電源制御プログラムを実行することにより、電源制御部１０４の機能を実現する。
【００５６】
なお、ナビゲーションユニット３１０のＣＰＵ５０１によって電源制御プログラムを実行することに限らず、後述する装置本体部３２０のＲＯＭ５５２などに電源制御プログラムを記録しておき、装置本体部３２０のＣＰＵ５５１によって電源制御プログラムを実行することも可能である。
【００５７】
磁気ディスクドライブ５０４は、ＣＰＵ５０１の制御にしたがって磁気ディスク５０５に対する情報の読み取り／書き込みを制御する。磁気ディスク５０５は、磁気ディスクドライブ５０４の制御によって書き込まれた情報を記録する。具体的には、磁気ディスク５０５は、自宅のＰＣなど屋内機器や携帯機器などに接続することにより、屋内機器などにて利用者が作成した音楽ファイルや旅行プランなどを記録する。
【００５８】
光ディスクドライブ５０６は、ＣＰＵ５０１の制御にしたがって光ディスク５０７に対する情報の読み取り／書き込みを制御する。光ディスク５０７は、光ディスクドライブ５０６の制御にしたがって情報の読み出される着脱自在な記録媒体である。外部Ｉ／Ｆ５０８は、ＵＳＢなどの各種Ｉ／Ｆであり、ＵＳＢ端子３１２に接続し、屋内機器や携帯機器などとの接続により各種情報の入出力をおこなう。ランプＩ／Ｆ５０９は、ＰＯＷＥＲランプ３１１とのＩ／Ｆであり、ＣＰＵ５０１の制御にしたがって、ＰＯＷＥＲランプ３１１を点灯、点滅、または消灯させる。
【００５９】
また、装置本体部３２０は、ＣＰＵ５５１と、ＲＯＭ５５２と、ＲＡＭ５５３と、音声Ｉ／Ｆ５５４と、スピーカ５５５と、映像Ｉ／Ｆ５５６と、ディスプレイ５５７と、操作入力Ｉ／Ｆ５５８と、操作部５５９と、通信Ｉ／Ｆ５６０と、ＧＰＳユニット５６１と、各種センサ５６２とを備えている。
【００６０】
ＣＰＵ５５１は、装置本体部３２０の全体の制御を司る。ＲＯＭ５５２やフラッシュＲＯＭ等の書換え可能な不揮発性メモリは、ブートプログラムなどの各種プログラムを記録している。また、ＲＡＭ５５３は、ＣＰＵ５５１のワークエリアとして使用される。音声Ｉ／Ｆ５５４は、音声出力用のスピーカ５５５に接続される。映像Ｉ／Ｆ５５６は、表示出力用のディスプレイ５５７に接続される。
【００６１】
操作入力Ｉ／Ｆ５５８は、各種入力を受け付ける操作部５５９に接続される。操作部５５９は、各種指示などの入力を受け付けるリモコン、タッチパネルなどのほか、上述したイジェクトレバー３２１などによって構成される。通信Ｉ／Ｆ５６０は、無線を介してネットワークに接続され、装置本体部３２０（ナビゲーション装置３００）とＣＰＵ５５１とのインターフェースとして機能する。
【００６２】
ＧＰＳユニット５６１は、ＧＰＳ衛星からの電波を受信し、車両の現在位置を示す情報を出力する。各種センサ５６２には、車速センサ、加速度センサ、角速度センサなどの、車両の位置や挙動を検知するものが用いられる。
【００６３】
（ナビゲーションユニットを検知するスイッチの概要）
つぎに、図６を用いて、ナビゲーションユニット３１０を検知するスイッチの概要について説明する。図６は、ナビゲーションユニット３１０を検知するスイッチの概要を示した説明図である。なお、以下の図面において、既に説明したものについては同様の符号を付し、その説明を省略する。
【００６４】
図６において、ナビゲーション装置３００の装置本体部３２０は、ＥＪＳＷ６０１と、ノブＳＷ６０２と、ロックＳＷ６０３と、ユニット検知ＳＷ６０４と、半挿し検知ＳＷ６０５と、回路素子６０６と、電源管理部６１０とを備えている。
【００６５】
ＥＪＳＷ６０１は、イジェクトレバー３２１の位置を検知するものであり、具体的には、イジェクトレバー３２１のＢポジションと、Ｄポジションとを検知する。ノブＳＷ６０２は、イジェクトレバー３２１の位置を検知するものであり、具体的には、Ｃポジションを検知する。ロックＳＷ６０３は、ナビゲーションユニット３１０が完全に挿入されたことを機構的に検知する。
【００６６】
ユニット検知ＳＷ６０４は、ナビゲーションユニット３１０が完全に挿入されたことを電気的に検知する。半挿し検知ＳＷ６０５は、ナビゲーションユニット３１０の挿入途中の状態を検知する。回路素子６０６は、論理和を意味する論理機能を有したＯＲゲートである。電源管理部６１０は、各スイッチや回路素子６０６から入力される信号に基づいて、ナビゲーションユニット３１０への電源管理部６１０の供給を制御する。
【００６７】
（ナビゲーション装置の電気的構成）
つぎに、図７を用いて、本実施例にかかるナビゲーション装置３００の電気的構成について説明する。図７は、本実施例にかかるナビゲーション装置３００の電気的構成を示した説明図である。
【００６８】
図７において、ＥＪＳＷ６０１は、利用者からの操作によるイジェクトレバー３２１の位置によって、電源管理部６１０へ「Ｌ（ロー）」または「Ｈ（ハイ）」の信号を出力する。具体的には、イジェクトレバー３２１がＢポジションまたはＤポジションに位置するときに「Ｌ」を出力する。
【００６９】
ノブＳＷ６０２についても同様に、利用者からの操作によるイジェクトレバー３２１の位置によって、電源管理部６１０へ「Ｌ」または「Ｈ」の信号を出力する。具体的には、イジェクトレバー３２１がＣポジションに位置するときに「Ｌ」を出力する。
【００７０】
ロックＳＷ６０３は、ナビゲーションユニット３１０の装置本体部３２０への装着が機構的に完了しているか否かによって、オン／オフを検知し、回路素子６０６へ「Ｌ」または「Ｈ」の信号を出力する。具体的には、ナビゲーションユニット３１０が装置本体部３２０に装着されている場合に「Ｌ」を出力する。
【００７１】
ユニット検知ＳＷ６０４は、Ｉ／Ｆコネクタ部５３０と連動して、ナビゲーションユニット３１０が装置本体部３２０に電気的に接続されたか否かによって、オン／オフを検知し、回路素子６０６へ「Ｌ」または「Ｈ」の信号を出力する。具体的には、ナビゲーションユニット３１０が装置本体部３２０に装着されている場合に「Ｌ」を出力する。
【００７２】
半挿し検知ＳＷ６０５は、ナビゲーションユニット３１０の挿入途中の状態を検知したか否かによって、オン／オフを検知し、電源管理部６１０へ「Ｌ」または「Ｈ」の信号を出力する。具体的には、ナビゲーションユニット３１０が半挿し時に「Ｈ」を出力する。なお、半挿し検知ＳＷ６０５による検知結果は、特にナビゲーションユニット３１０の装着操作時における電源の制御に用いられる。
【００７３】
回路素子６０６は、ロックＳＷ６０３およびユニット検知ＳＷ６０４からの信号に基づいて、電源管理部６１０へ「Ｌ」または「Ｈ」の信号を出力する。回路素子６０６は、ロックＳＷ６０３からの出力信号と同等の信号を電源管理部６１０へ出力する。なお、ロックＳＷ６０３とユニット検知ＳＷ６０４とをＯＲゲートとしたのは、たとえば、振動などによりスイッチの接点不良が生じた場合であっても、検知状態が変動してしまうことを避けるためである。以下の説明において、回路素子６０６から出力される信号は、ロックＳＷ６０３から出力される信号として説明する。
【００７４】
（ナビゲーションユニットがおこなう電源制御処理の一例）
つぎに、図８を用いて、ナビゲーションユニット３１０がおこなう電源制御処理の一例について説明する。図８は、ナビゲーションユニット３１０がおこなう電源制御処理の一例を示すフローチャートである。なお、図８に示すフローチャートでは、ナビゲーションユニット３１０が装置本体部３２０に装着され、イジェクトレバー３２１がＡポジションに位置していることを前提とする。
【００７５】
図８のフローチャートにおいて、ナビゲーションユニット３１０のＣＰＵ５０１は、ＥＪＳＷ６０１によりＢポジションを検知したか否かを判断する（ステップＳ８０１）。Ｂポジションを検知するまで待機状態にあり（ステップＳ８０１：Ｎｏのループ）、Ｂポジションを検知すると（ステップＳ８０１：Ｙｅｓ）、ＣＰＵ５０１が電源制御プログラムを実行することにより、電源オフ処理を開始する（ステップＳ８０２）。
【００７６】
このあと、ＣＰＵ５０１の制御により、ＰＯＷＥＲランプ３１１を点滅させる（ステップＳ８０３）。さらに、イジェクトレバー３２１に対する利用者からの押圧力が弱められると、イジェクトレバー３２１がＣポジションにシフトし、ノブＳＷ６０２によりＣポジションを検知する（ステップＳ８０４）。そして、電源オフ処理が完了したか否かを判断する（ステップＳ８０５）。電源オフ処理が完了したと判断した場合（ステップＳ８０５：Ｙｅｓ）、ＰＯＷＥＲランプ３１１を消灯する（ステップＳ８０６）。このあと、ＣＰＵ５０１がノブＳＷ６０２の検知結果に基づき、Ｃポジションから押し込まれたか否かを判断する（ステップＳ８０７）。
【００７７】
Ｃポジションから押し込まれたと判断するまで待機状態にあり（ステップＳ８０７：Ｎｏのループ）、Ｃポジションから押し込まれたと判断した場合（ステップＳ８０７：Ｙｅｓ）、図１２以降に説明するプッシュプレートの押圧力により、ナビゲーションユニット３１０を排出し（ステップＳ８０８）、一連の処理を終了する。
【００７８】
一方、ステップＳ８０５において、電源オフ処理が完了していないと判断した場合（ステップＳ８０５：Ｎｏ）、ノブＳＷ６０２の検知結果に基づき、Ｃポジションから押し込まれたか否かを判断する（ステップＳ８０９）。Ｃポジションから押し込まれたと判断するまで（ステップＳ８０９：Ｎｏ）、ステップＳ８０５における電源オフ処理が完了したか否かの判断をおこなう。Ｃポジションから押し込まれたと判断した場合（ステップＳ８０９：Ｙｅｓ）、ＣＰＵ５０１が緊急オフ処理を実行する（ステップＳ８１０）。そして、ＰＯＷＥＲランプ３１１を消灯し（ステップＳ８１１）、ステップＳ８０８におけるナビゲーションユニット３１０の排出をおこなう。
【００７９】
（ナビゲーションユニットの取り出し時における電源の供給に関するタイミングチャートの一例）
つぎに、図９および図１０を用いて、ナビゲーションユニット３１０の取り出し時における電源の供給に関するタイミングチャートの一例について説明する。図９は、通常の電源オフ処理を示したタイミングチャートである。なお、図９および図１０に示すタイミングチャートでは、ナビゲーションユニット３１０が装置本体部３２０に装着され、イジェクトレバー３２１がＡポジションに位置していることを前提とする。
【００８０】
図９において、タイミングチャート９００は、イジェクトレバー３２１のポジションごとに、各スイッチから出力される信号と、当該信号に基づいて処理がおこなわれる電源制御の動作状態９１０との関係について示したものである。
【００８１】
以下の説明においては、イジェクトレバー３２１のポジションの変化とともに、図に付した順番を辿って説明する。タイミングチャート９００において、（１）イジェクトレバー３２１がＡポジションに位置している状態では、ＥＪＳＷ６０１が「Ｈ」を出力するとともに、ナビゲーションユニット３１０の動作状態９１０は動作中となっている。この状態で、利用者がＡポジションからイジェクトレバー３２１を押下し、（２）イジェクトレバーがＢポジションに位置すると、ＥＪＳＷ６０１は「Ｌ」を出力する。この出力結果に基づき、ナビゲーションユニット３１０の動作状態９１０は、電源オフ処理を開始する。
【００８２】
そして、イジェクトレバー３２１は、Ｂポジションに位置した後、（３）利用者がイジェクトレバー３２１に対する押圧力を弱めることにより、（４）Ｃポジションに位置する。このとき、ノブＳＷ６０２が「Ｌ」を出力する。イジェクトレバー３２１がＣポジションに位置した状態で、電源オフ処理に必要な所定の時間が経過すると、ナビゲーションユニット３１０の動作状態９１０は、電源オフとなる。
【００８３】
そして、（５）利用者がイジェクトレバー３２１をＣポジションから押し込むと、ノブＳＷ６０２は「Ｈ」となり、所定の時間差をもって、ロックＳＷ６０３が「Ｈ」になる。このあと、（６）イジェクトレバー３２１がＤポジションに位置し、ＥＪＳＷ６０１が「Ｌ」を出力するとともに、ナビゲーションユニット３１０の取り出しが完了する。
【００８４】
図１０は、緊急オフ処理を示したタイミングチャートである。なお、図１０においても、図９の説明と同様に、イジェクトレバー３２１のポジションの変化とともに、図に付した順番を辿って説明する。タイミングチャート１０００において、（１）イジェクトレバー３２１がＡポジションに位置している状態では、ＥＪＳＷ６０１は「Ｈ」を出力するとともに、ナビゲーションユニット３１０の動作状態１０１０は、動作中となっている。
【００８５】
この状態で、利用者がＡポジションからイジェクトレバー３２１を押し込み、（２）イジェクトレバーをＢポジションに位置させると、ＥＪＳＷ６０１は「Ｌ」を出力する。この出力結果に基づき、ナビゲーションユニット３１０の動作状態１０１０は、電源オフ処理を開始する。そして、イジェクトレバー３２１は、Ｂポジションに位置した後、（３）利用者がイジェクトレバー３２１に対する押圧力を弱めることにより、（４）Ｃポジションに位置する。このとき、ノブＳＷ６０２が「Ｌ」を出力する。
【００８６】
イジェクトレバー３２１がＣポジションに位置した状態で、電源オフ処理に必要な所定の時間が経過する前に、（５）利用者がイジェクトレバー３２１をＣポジションから押し込むと、ノブＳＷ６０２は「Ｈ」となり、このとき、動作状態１０１０は緊急オフ処理を実行することとなる。この緊急オフ処理は、符号１０２０に示す間隔、すなわち、ノブＳＷ６０２が「Ｈ」となってからロックＳＷ６０３が「Ｈ」となるまでの時間よりも短い時間で完了するようになっている。
【００８７】
なお、ノブＳＷ６０２が「Ｈ」となってからロックＳＷ６０３が「Ｈ」となるまでの間の、時間差の詳細については、図１５を用いて後述する。このあと、（６）イジェクトレバー３２１がＤポジションに位置し、ＥＪＳＷ６０１が「Ｌ」を出力するとともに、ナビゲーションユニット３１０の取り出しが完了する。
【００８８】
（ナビゲーションユニットの挿入時における電源供給に関するタイミングチャートの一例）
つぎに、図１１を用いて、ナビゲーションユニット３１０の挿入時における電源供給に関するタイミングチャートの一例について説明する。図１１は、ナビゲーションユニット３１０の挿入時における電源供給に関するタイミングチャートである。なお、図１１に示すタイミングチャートでは、ナビゲーションユニット３１０が装置本体部３２０に装着されておらず、イジェクトレバー３２１がＤポジションに位置していることを前提とする。
【００８９】
図１１においても、図９および図１０の説明と同様に、イジェクトレバー３２１のポジションの変化とともに、図に付した順番を辿って説明する。タイミングチャート１１００において、（１）イジェクトレバー３２１がＤポジションに位置している状態では、半挿し検知ＳＷ６０５は「Ｌ」を出力するとともに、ナビゲーションユニット３１０の動作状態１１１０は、ナビゲーションユニット３１０なしで動作中の状態である。
【００９０】
この状態で、（２）利用者がナビゲーションユニット３１０を装置本体部３２０に挿入すると、半挿し検知ＳＷ６０５が「Ｈ」を出力する。このときナビゲーションユニット３１０の動作状態１１１０は電源をオフにした状態となる。そして、利用者がナビゲーションユニット３１０を押し込んでいくと、イジェクトレバー３２１が徐々にＤポジションからＡポジションにシフトしていく。そして、完全に装着される手前で、半挿し検知ＳＷ６０５が「Ｌ」を出力し、半挿しの状態ではないことを検知する。
【００９１】
そして、ロックＳＷ６０３が「Ｌ」を出力することによりロックされた状態となる。このあと、（３）イジェクトレバー３２１がＡポジションに位置し、すなわち、ＥＪＳＷ６０１が「Ｈ」となると、動作状態１１１０は電源オンの通常動作となる。
【００９２】
（イジェクトレバーを用いた操作部の機構的構成）
つぎに、図１２〜図１７を用いて、イジェクトレバー３２１を用いた操作部の機構的構成について説明する。図１２は、イジェクトレバー３２１を用いた操作部の機構的構成を示す説明図である。図１２において（ａ）は、ナビゲーション装置３００の上面図である。（ｂ）は、（ａ）に示したナビゲーション装置３００の上面図をＹ方向から見た側面透視図である。なお、図１２において、イジェクトレバー３２１はＡポジションに位置している状態を示している。
【００９３】
図１２において、操作部１２００は、イジェクトレバー３２１と、プッシュプレート１２０１と、第１スライダ１２０２と、第２スライダ１２０３と、スイッチ１２４０とを備えている。イジェクトレバー３２１は、一端が第１スライダ１２０２に係止されている第１バネ１２１１によってＳ方向に付勢されている。また、イジェクトレバー３２１は、回動軸１２５１を支点として、ピン１２５２の位置を可変にするカムプレート１２５０を設けている。
【００９４】
プッシュプレート１２０１は、イジェクトレバー３２１と第１スライダ１２０２とを接続し、利用者から操作されたイジェクトレバー３２１に対する押圧力を、第１スライダ１２０２に伝達する。また、プッシュプレート１２０１は、図示せぬバネにより、Ｓ方向に付勢されている。
【００９５】
第１スライダ１２０２は、一端が装置本体部３２０に係止されている第２バネ１２１２によってＴ方向に付勢されている。第１スライダ１２０２は、歯車１２２０を介して第２スライダ１２０３に歯合連結されている。
【００９６】
第２スライダ１２０３は、第３バネ１２１３によってＳ方向に付勢されている。また、第２スライダ１２０３は、ナビゲーションユニット３１０を排出するための図示せぬ当接部を備えている。なお、この当接部は、図１に示した排出部１０３に相当する。
【００９７】
スイッチ１２４０は、たとえば、ＥＪＳＷ６０１と、ノブＳＷ６０２とを兼ねるものとする。なお、上述したように、ＥＪＳＷ６０１は、ＢポジションおよびＤポジションを検知し、ノブＳＷ６０２は、Ｃポジションを検知する。スイッチ１２４０は、イジェクトレバー３２１の往復動により、イジェクトレバー３２１の切欠部１２５５の側面に接触することにより、傾倒する構成となっている。
【００９８】
スイッチ１２４０が傾倒していないときに、ＥＪＳＷ６０１およびノブＳＷ６０２は共に「Ｈ」の信号を出力する。スイッチ１２４０がＴ方向に傾倒しているときに、ＥＪＳＷ６０１は「Ｌ」の出力信号を出力する一方、ノブＳＷ６０２は「Ｈ」を出力する。また、スイッチ１２４０がＳ方向に傾倒しているときに、ＥＪＳＷ６０１は「Ｈ」の信号を出力する一方、ノブＳＷ６０２は「Ｌ」を出力する。なお、図１２に示すイジェクトレバー３２１がＡポジションに位置する場合には、スイッチ１２４０は傾倒しておらず、ＥＪＳＷ６０１およびノブＳＷ６０２は「Ｈ」の信号を出力する。
【００９９】
ここで、図１３を用いて、ピン１２５２が移動する軌跡について説明する。図１３は、ピン１２５２が移動する軌跡を示した説明図である。図１３において、装置本体部３２０には、ピン１２５２が移動するための案内溝１３００が形成されている。符号Ａに示す箇所は、イジェクトレバー３２１がＡポジションに位置する際の、ピン１２５２の位置を示している。同様に各符号は、それぞれのポジションに対応するピン１２５２の位置を示している。
【０１００】
また、点線に示す矢印は、ピン１２５２の移動経路を示している。すなわち、ピン１２５２は、Ａ部に位置する状態から、利用者によるイジェクトレバー３２１の押し込みによりＢ部に位置したのち、第１バネ１２１１の付勢力によりＣ部に位置する。そして、利用者からのイジェクトレバー３２１の押し込みにより、ナビゲーションユニット３１０が排出される際には、ピン１２５２はＤ部に位置する。そして、ナビゲーションユニット３１０が再度装着されると、ピン１２５２はＡ部に位置する。
【０１０１】
つぎに、イジェクトレバー３２１がＡポジションからＢポジションにシフトした際の操作部１２００の状態について説明する。図１４は、Ｂポジションにおける操作部１２００の状態を示す説明図である。図１４において（ａ）は、ナビゲーション装置３００の上面図である。（ｂ）は、（ａ）に示したナビゲーション装置３００の上面図をＹ方向から見た側面透視図である。
【０１０２】
図１４において、ピン１２５２が下方（図１３のＢ部）に位置し、カムプレート１２５０が最も下方に向けて傾斜した状態となっている。イジェクトレバー３２１は、第１バネ１２１１（圧縮により図示せぬ）の付勢力に抗して押し込まれるが、このとき、カムプレート１２５０が下方に向けて傾斜することにより、プッシュプレート１２０１を押圧しないようになっている。
【０１０３】
なお、図１４に示すイジェクトレバー３２１がＢポジションに位置する場合には、スイッチ１２４０がＴ方向に傾倒し、ＥＪＳＷ６０１は「Ｌ」の信号を出力する一方、ノブＳＷ６０２は「Ｈ」の信号を出力する。このＢポジションにて、電源オフ処理が開始される。この状態において、利用者が操作力を弱めると、イジェクトレバー３２１がＣポジションにシフトする。
【０１０４】
図１５は、Ｃポジションにおける操作部１２００の状態を示す説明図である。図１６は、Ｃポジションから操作された直後の操作部１２００の状態を示す説明図である。図１５および図１６において（ａ）は、ナビゲーション装置３００の上面図である。（ｂ）は、（ａ）に示したナビゲーション装置３００の上面図をＹ方向から見た側面透視図である。
【０１０５】
図１５において、ピン１２５２が上方（図１３のＣ部）に位置し、カムプレート１２５０が水平に近い状態となっている。この状態において、カムプレート１２５０とプッシュプレート１２０１との間には、間隙１５０１が設けられている。また、プッシュプレート１２０１と第１スライダ１２０２との間にも間隙１５０２が設けられている。なお、プッシュプレート１２０１および間隙１５０１，１５０２は、図１に示した伝達遅延部１０５に相当する。
【０１０６】
この状態において、利用者がイジェクトレバー３２１を押し込むと、イジェクトレバー３２１はＣポジションからＤポジションへの移動を開始し、すなわち、ノブＳＷ６０２が「Ｌ」から「Ｈ」となる。このとき、電源オフ処理の最中であれば、緊急オフ処理がおこなわれる。また、このように、イジェクトレバー３２１が押し込まれると、図１６に示すように、イジェクトレバー３２１（カムプレート１２５０）がプッシュプレート１２０１を押圧することになる。
【０１０７】
このとき、カムプレート１２５０とプッシュプレート１２０１との間には間隙１５０１が設けられているため、カムプレート１２５０がプッシュプレート１２０１に当接するまでに一定の時間を要する。さらに、プッシュプレート１２０１と第１スライダ１２０２との間にも間隙１５０２が設けられているため、プッシュプレート１２０１と第１スライダ１２０２とが当接するまでに一定の時間を要する。
【０１０８】
これにより、ナビゲーションユニット３１０の排出が開始されるまで、すなわち、ロックＳＷ６０３が「Ｌ」から「Ｈ」になるタイミングと、ノブＳＷ６０２が「Ｌ」から「Ｈ」となるタイミングとで、所定の時間差が生じる。この時間差は、間隙１５０１，１５０２により、たとえば、１００ｍｓｅｃ程度となるように設定されている。なお、緊急オフ処理に要する時間は、上述したように、３０ｍｓｅｃ程度である。
【０１０９】
したがって、電源オフ処理の最中に、イジェクトレバー３２１がＣポジションから操作されたとしても、ナビゲーションユニット３１０に対するロックが解除されるまでの間に、緊急オフ処理を完了させることが可能になっている。
【０１１０】
また、図１６に示した状態からイジェクトレバー３２１を押し込んでいくと、第１スライダ１２０２がＴ方向に移動するとともに、歯車１２２０により、第２スライダ１２０３はＳ方向に移動する。なお、このとき第２スライダ１２０３は図示せぬ当接部により、ナビゲーションユニット３１０に対して、排出させるための力を作用させる。そして、イジェクトレバー３２１が押し込まれていくと、イジェクトレバー３２１はＤポジションにシフトする。
【０１１１】
なお、図１５に示すイジェクトレバー３２１がＣポジションに位置する場合には、スイッチ１２４０がＳ方向に傾倒し、ＥＪＳＷ６０１は「Ｈ」の信号を出力する一方、ノブＳＷ６０２が「Ｌ」の信号を出力する。また、図１６に示すイジェクトレバー３２１がＣポジションから上述した間隙１５０１，１５０２分、Ｔ方向にシフトした場合には、スイッチ１２４０は傾倒せず、ＥＪＳＷ６０１およびノブＳＷ６０２は共に「Ｈ」の信号を出力する。
【０１１２】
図１７は、Ｄポジションにおける操作部１２００の状態を示す説明図である。図１７において（ａ）は、ナビゲーション装置３００の上面図である。（ｂ）は、（ａ）に示したナビゲーション装置３００の上面図をＹ方向から見た側面透視図である。
【０１１３】
図１７において、第２スライダ１２０３は、歯車１２２０から外れた状態となっている。このとき、第３バネ１２１３によるＳ方向への付勢力によって、第２スライダ１２０３は更にＳ方向へ押し出され、ナビゲーションユニット３１０が完全に排出されることになる。
【０１１４】
なお、図１７に示すイジェクトレバー３２１がＤポジションに位置する場合には、スイッチ１２４０がＴ方向に傾倒し、ＥＪＳＷ６０１は「Ｌ」の信号を出力する一方、ノブＳＷ６０２は「Ｈ」の信号を出力する。なお、このようなＤポジションにおいて、利用者からナビゲーションユニット３１０が挿入されると、第２スライダ１２０３の当接部が押圧されるとともに、操作部１２００（イジェクトレバー３２１）は、ＤポジションからＡポジションにシフトするようになっている。
【０１１５】
以上のように、本実施例にかかるナビゲーション装置３００によれば、イジェクトレバー３２１の位置のみに応じてナビゲーションユニット３１０に対する装置本体部３２０からの電源の供給を制御するようにしたので、利用者は片手で簡単にナビゲーションユニット３１０の取り出しをおこなうことができる。
【０１１６】
また、イジェクトレバー３２１を直線上に往復動させ、Ａポジションから押圧操作されることにより、Ａポジションよりも更に突出したＣポジションに停止させるようにしたので、利用者はイジェクトレバー３２１を指１本で２回押すだけの極めて簡単な操作によってナビゲーションユニット３１０を取り出すことができる。
【０１１７】
また、イジェクトレバー３２１がＡポジションにて押圧操作されたときに、ナビゲーションユニット３１０に対する電源の供給を停止する電源オフ処理を実行するようにしたので、電気的な接続を切断するために、利用者が別途操作をおこなう必要がなく、ナビゲーションユニット３１０の取り外し時における最初の操作にて、電源オフ処理を開始することが可能になる。したがって、電源オフ処理に要する待ち時間を低減させることができる。
【０１１８】
また、電源オフ処理を実行中に、イジェクトレバー３２１がＣポジションから押圧操作されたときに、緊急オフ処理を実行するようにしたので、利用者が急いで取り出し操作をおこなった場合や、電源停止処理中に誤ってイジェクトレバー３２１を操作した場合であっても、必要最低限のデータを記録しておくことが可能になる。
【０１１９】
また、プッシュプレート１２０１および間隙１５０１，１５０２（図１５参照）によって排出力の伝達が遅延されることにより、イジェクトレバー３２１がＣポジションにて押圧操作されてから、ナビゲーションユニット３１０の排出が開始されるまでの間に、緊急オフ処理を完了させるようにしたので、利用者が高速にイジェクトレバー３２１を押し込んだとしても、所定の時間を得ることができ、緊急オフ処理を確実に完了させることができる。
【０１２０】
なお、上述した説明において、電源停止処理および緊急停止処理の内容は一例に過ぎず、緊急停止処理が電源停止処理よりも短い時間で電源の供給を停止する処理であれば、上記に限られることはない。また、上述した説明において、各種スイッチの出力信号「Ｈ」「Ｌ」の組み合わせ等は一例に過ぎず、上記に限られることはない。
【０１２１】
以上説明したように、本発明の情報処理装置、ナビゲーション装置、情報処理方法、情報処理プログラム、および記録媒体によれば、利用者は簡単にユニットの取り出しをおこなうことができる。
【０１２２】
なお、本実施例で説明した情報処理方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１２３】
【図１】本実施の形態にかかる情報処理装置の機能的構成の一例を示すブロック図である。
【図２】本実施の形態にかかる情報処理装置の情報処理手順の一例を示すフローチャートである。
【図３】本実施例にかかるナビゲーション装置の概観の一例を示す説明図である。
【図４】イジェクトレバーの位置状態を示した説明図である。
【図５】本実施例にかかるナビゲーション装置のハードウェア構成の一例を示すブロック図である。
【図６】ナビゲーションユニットを検知するスイッチの概要を示した説明図である。
【図７】本実施例にかかるナビゲーション装置の電気的構成を示した説明図である。
【図８】ナビゲーションユニットがおこなう電源制御処理の一例を示すフローチャートである。
【図９】通常の電源オフ処理を示したタイミングチャートである。
【図１０】緊急オフ処理を示したタイミングチャートである。
【図１１】ナビゲーションユニットの挿入時における電源供給に関するタイミングチャートである。
【図１２】イジェクトレバーを用いた操作部の機構的構成を示す説明図である。
【図１３】ピンが移動する軌跡を示した説明図である。
【図１４】Ｂポジションにおける操作部の状態を示す説明図である。
【図１５】Ｃポジションにおける操作部の状態を示す説明図である。
【図１６】Ｃポジションから操作された直後の操作部の状態を示す説明図である。
【図１７】Ｄポジションにおける操作部の状態を示す説明図である。
【図１８】従来のナビゲーション装置を示した説明図である。
【図１９】従来のナビゲーション装置を示した説明図である。
【符号の説明】
【０１２４】
１００  情報処理装置
１０１  操作部
１０２  検知部
１０３  排出部
１０４  電源制御部
１０５  伝達遅延部
３００  ナビゲーション装置
３１０  ナビゲーションユニット
３１１  ＰＯＷＥＲランプ
３２０  装置本体部
３２１  イジェクトレバー
６０１  ＥＪＳＷ
６０２  ノブＳＷ
６０３  ロックＳＷ
６０４  ユニット検知ＳＷ
６０５  半挿し検知ＳＷ
１２００  操作部
１２０１  プッシュプレート
１２５２  ピン
１２４０  スイッチ
１３００  案内溝
１５０１，１５０２  間隙
【図１】
2009262807.tif 000003
【図２】
2009262807.tif 000004
【図３】
2009262807.tif 000005
【図４】
2009262807.tif 000006
【図５】
2009262807.tif 000007
【図６】
2009262807.tif 000008
【図７】
2009262807.tif 000009
【図８】
2009262807.tif 000010
【図９】
2009262807.tif 000011
【図１０】
2009262807.tif 000012
【図１１】
2009262807.tif 000013
【図１２】
2009262807.tif 000014
【図１３】
2009262807.tif 000015
【図１４】
2009262807.tif 000016
【図１５】
2009262807.tif 000017
【図１６】
2009262807.tif 000018
【図１７】
2009262807.tif 000019
【図１８】
2009262807.tif 000020
【図１９】
2009262807.tif 000021